【手続補正書】
【提出日】平成19年2月21日(2007.2.21)
【手続補正１】
【補正対象書類名】特許請求の範囲
【補正対象項目名】全文
【補正方法】変更
【補正の内容】
【特許請求の範囲】
【請求項１】
文章データに施すサービス処理の処理数を入力する入力手段と、前記文書データに施すサービス処理を示す情報の内容が記述された指示書データを前記入力手段によって入力された処理数に応じた数複製する指示書データ複製手段と、前記指示書データ複製手段で複製された複数の指示書データと、前記文書データとを記憶する記憶手段と、複数の前記指示書データに記述されたサービス処理を示す情報に基づいて前記文書データに対して前記サービス処理を実行する第１の処理手段と、を有する第１の画像処理装置と、
装置本体の稼働状況を検出する検出手段と、前記検出手段によって検出された稼働状況に応じた数の前記指示書データを、前記第１の画像処理装置から装置本体へ移動すると共に前記文書データを読出す移動読出手段と、移動された前記指示書データ及び読出した前記文書データに基づいて、前記指示書データに記述されたサービス処理を示す情報に応じて前記文書データに対して前記サービス処理を実行する第２の処理手段と、を有する第２の画像処理装置と、
を備えた画像処理システム。
【請求項２】
前記移動読出手段は、前記検出手段によって検出された稼働状況が予め定めた状況以外のときに、前記第１の画像処理装置の記憶手段から前記稼働状況に応じた数の前記指示書データを装置本体へ移動するとともに、前記記憶手段から前記文書データを読出す請求項１に記載の画像処理システム。
【請求項３】
前記移動読出手段は、前記第２の処理手段によって実行されたサービス処理が異常であったときに、第２の画像処理装置本体へ移動した前記指示書データを、前記第１の画像処理装置の記憶手段へ移動する請求項１または請求項２に記載の画像処理システム。
【請求項４】
前記移動読出手段は、前記第２の処理手段によって実行されたサービス処理が正常に行われたときに、前記第２の処理手段によって実行されたサービス処理の処理数を示す処理数情報及び前記第２の画像処理装置を識別するための識別情報を、前記第１の画像処理装置に送信する送信手段を含み、前記第１の画像処理装置は、前記送信手段から前記処理数情報及び識別情報を受信する受信手段を更に備え、前記第１の処理手段は、前記受信手段によって受信した処理数情報及び識別情報を出力する出力手段を含む、ことを特徴とする請求項１乃至請求項３の何れか１項に記載の画像処理システム。
【請求項５】
文章データに施すサービス処理の処理数を入力する入力手段と、前記文書データに施すサービス処理を示す情報の内容及び文書データの格納位置を示す位置データが記述された指示書データを前記入力手段によって入力された処理数に応じた数複製する指示書データ複製手段と、前記指示書データ複製手段で複製された複数の指示書データを記憶する記憶手段と、前記指示書データに記述された位置データに応じて文書データを読出し、前記記憶手段に記憶すると共に、該文書データ及び前記指示書データに記述されたサービス処理を示す情報の内容に基づいて前記文書データに対して前記サービス処理を実行する第１の処理手段と、を有する第１の画像処理装置と、
装置本体の稼働状況を検出する検出手段と、前記検出手段によって検出された稼働状況に応じた数の前記指示書データを前記第１の画像処理装置から装置本体へ移動すると共に前記文書データを読出す移動読出手段と、移動された前記指示書データ及び読出した前記文書データに基づいて、前記指示書データに記述されたサービス処理を示す情報に応じて前記文書データに対して前記サービス処理を実行する第２の処理手段と、を有する第２の画像処理装置と、
を備えた画像処理システム。
【請求項６】
文章データに施すサービス処理の処理数を入力する入力工程と、前記文書データに施すサービス処理を示す情報の内容が記述された指示書データを前記入力された処理数に応じた数複製する指示書データ複製工程と、複製された複数の前記指示書データと前記文書データとを記憶する記憶工程と、複数の前記指示書データに記述されたサービス処理を示す情報に基づいて前記文書データに対して前記サービス処理を実行する第１の処理工程と、を有する第１の画像処理工程と、
装置本体の稼働状況を検出する検出工程と、前記検出された稼働状況に応じた数の前記指示書データを、前記第１の画像処理工程から移動するとともに、前記第１の画像処理工程から前記文書データを読出す移動読出工程と、移動された前記指示書データ及び読出した前記文書データに基づいて、前記指示書データに記述されたサービス処理を示す情報に応じて前記文書データに対して前記サービス処理を実行する第２の処理工程と、を有する第２の画像処理工程と、
を備えた画像処理方法。
【請求項７】
コンピュータに、
文章データに施すサービス処理の処理数を入力する入力工程と、前記文書データに施すサービス処理を示す情報の内容が記述された指示書データを前記入力された処理数に応じた数複製する指示書データ複製工程と、複製された複数の前記指示書データと前記文書データとを記憶する記憶工程と、複数の前記指示書データに記述されたサービス処理を示す情報に基づいて前記文書データに対して前記サービス処理を実行する第１の処理工程と、を有する第１の画像処理工程と、
装置本体の稼働状況を検出する検出工程と、検出された稼働状況に応じた数の前記指示書データを前記第１の画像処理工程から移動するとともに前記第１の画像処理工程から前記文書データを読出す移動読出工程と、移動された前記指示書データ及び読出した前記文書データに基づいて、前記指示書データに記述されたサービス処理を示す情報に応じて前記文書データに対して前記サービス処理を実行する第２の処理工程と、を有する第２の画像処理工程と、
を備えた処理を実行させる画像処理プログラム。
【請求項８】
文書データに施すサービス処理を示す情報の内容が記述された指示書データの、前記サービス処理を示す情報に基づいて、前記文書データに対して前記サービス処理を実行する処理手段を備えた画像処理装置であって、
前記文章データに施す前記サービス処理の処理数を入力する入力手段と、
前記指示書データを、前記入力手段によって入力された処理数に応じた数複製する指示書データ複製手段と、
前記指示書データ複製手段で複製された複数の指示書データと、前記文書データとを記憶する記憶手段と、
前記記憶手段に記憶された複数の前記指示書データ各々及び前記文書データに基づいて、前記サービス処理を実行するように前記処理手段を制御する制御手段と、
前記記憶手段に記憶された文書データ及び前記記憶手段から他の画像処理装置へ移動された１または複数の前記指示書データ各々に基づいて、該他の画像処理装置で実行された前記サービス処理の処理数、及び該サービス処理を実行した該他の画像処理装置を識別可能な識別情報を受信する受信手段と、
前記受信手段によって受信した前記識別情報及び前記処理数を出力する出力手段と、
を備えた画像処理装置。
【請求項９】
文書データに施すサービス処理を示す情報の内容が記述された指示書データの、前記サービス処理を示す情報に基づいて、前記文書データに対して前記サービス処理を実行する処理手段を備えた画像処理装置であって、
画像処理装置本体の稼働状況を検出する検出手段と、
他の画像処理装置から前記検出手段によって検出された稼働状況に応じた数の指示書データを移動するとともに文書データを読出す移動読出手段と、
前記移動読出手段によって移動された前記指示書データ及び読出された前記文書データに基づいて、前記サービス処理を実行するように前記処理手段を制御する制御手段と、
を備えた画像処理装置。
【請求項１０】
前記処理手段によって実行したサービス処理の処理数及び画像処理装置本体を識別するための識別情報を、前記移動読出手段によって移動された前記指示書データの、移動元の前記他の画像処理装置へ送信する送信手段を更に備えた請求項９に記載の画像処理装置。
【手続補正２】
【補正対象書類名】明細書
【補正対象項目名】０００９
【補正方法】変更
【補正の内容】
【０００９】
請求項１に記載の画像処理システムは、文章データに施すサービス処理の処理数を入力する入力手段と、前記文書データに施すサービス処理を示す情報の内容が記述された指示書データを前記入力手段によって入力された処理数に応じた数複製する指示書データ複製手段と、前記指示書データ複製手段で複製された複数の指示書データと、前記文書データとを記憶する記憶手段と、複数の前記指示書データに記述されたサービス処理を示す情報に基づいて前記文書データに対して前記サービス処理を実行する第１の処理手段と、を有する第１の画像処理装置と、装置本体の稼働状況を検出する検出手段と、前記検出手段によって検出された稼働状況に応じた数の前記指示書データを、前記第１の画像処理装置から装置本体へ移動すると共に前記文書データを読出す移動読出手段と、移動された前記指示書データ及び読出した前記文書データに基づいて、前記指示書データに記述されたサービス処理を示す情報に応じて前記文書データに対して前記サービス処理を実行する第２の処理手段と、を有する第２の画像処理装置と、を備えている。
【手続補正３】
【補正対象書類名】明細書
【補正対象項目名】００２２
【補正方法】変更
【補正の内容】
【００２２】
他の発明の画像処理システムは、文章データに施すサービス処理の処理数を入力する入力手段と、前記文書データに施すサービス処理を示す情報の内容及び文書データの格納位置を示す位置データが記述された指示書データを前記入力手段によって入力された処理数に応じた数複製する指示書データ複製手段と、前記指示書データ複製手段で複製された複数の指示書データを記憶する記憶手段と、前記指示書データに記述された位置データに応じて文書データを読出し、前記記憶手段に記憶すると共に、該文書データ及び前記指示書データに記述されたサービス処理を示す情報の内容に基づいて前記文書データに対して前記サービス処理を実行する第１の処理手段と、を有する第１の画像処理装置と、装置本体の稼働状況を検出する検出手段と、前記検出手段によって検出された稼働状況に応じた数の前記指示書データを前記第１の画像処理装置から装置本体へ移動すると共に前記文書データを読出す移動読出手段と、移動された前記指示書データ及び読出した前記文書データに基づいて、前記指示書データに記述されたサービス処理を示す情報に応じて前記文書データに対して前記サービス処理を実行する第２の処理手段と、を有する第２の画像処理装置と、を備えている。
【手続補正４】
【補正対象書類名】明細書
【補正対象項目名】００２４
【補正方法】変更
【補正の内容】
【００２４】
なお、次の画像処理方法によって、画像処理工程間でサービス処理を分散して実行することができ、容易に負荷分散することができる。詳細には、文章データに施すサービス処理の処理数を入力する入力工程と、前記文書データに施すサービス処理を示す情報の内容が記述された指示書データを前記入力された処理数に応じた数複製する指示書データ複製工程と、複製された複数の前記指示書データと前記文書データとを記憶する記憶工程と、複数の前記指示書データに記述されたサービス処理を示す情報に基づいて前記文書データに対して前記サービス処理を実行する第１の処理工程と、を有する第１の画像処理工程と、装置本体の稼働状況を検出する検出工程と、前記検出された稼働状況に応じた数の前記指示書データを、前記第１の画像処理工程から移動するとともに、前記第１の画像処理工程から前記文書データを読出す移動読出工程と、移動された前記指示書データ及び読出した前記文書データに基づいて、前記指示書データに記述されたサービス処理を示す情報に応じて前記文書データに対して前記サービス処理を実行する第２の処理工程と、を有する第２の画像処理工程と、を備えることを特徴とする。
【手続補正５】
【補正対象書類名】明細書
【補正対象項目名】００２５
【補正方法】変更
【補正の内容】
【００２５】
また、次の画像処理プログラムをコンピュータによって処理させることで、画像処理工程間でサービス処理を分散して実行することができ、容易に負荷分散することができる。詳細には、コンピュータに、文章データに施すサービス処理の処理数を入力する入力工程と、前記文書データに施すサービス処理を示す情報の内容が記述された指示書データを前記入力された処理数に応じた数複製する指示書データ複製工程と、複製された複数の前記指示書データと前記文書データとを記憶する記憶工程と、複数の前記指示書データに記述されたサービス処理を示す情報に基づいて前記文書データに対して前記サービス処理を実行する第１の処理工程と、を有する第１の画像処理工程と、装置本体の稼働状況を検出する検出工程と、検出された稼働状況に応じた数の前記指示書データを前記第１の画像処理工程から移動するとともに前記第１の画像処理工程から前記文書データを読出す移動読出工程と、移動された前記指示書データ及び読出した前記文書データに基づいて、前記指示書データに記述されたサービス処理を示す情報に応じて前記文書データに対して前記サービス処理を実行する第２の処理工程と、を有する第２の画像処理工程と、を備える。